(57)【要約】【課題】置き敷き施工された床面のリフォームや部分補修等を、簡単に作業性よく行うことのできるリフォーム用床材およびその施工方法を提供する。【解決手段】置き敷き施工における床材の施工構造であって、実結合で結合され、床面Ｆを形成する床材の一部を補修用床材Ａとし、該補修用床材Ａの長手方向一端部を雄実３とするとともに、長手方向他端部を雌実の下部を切除した長手固定片１とし、該補修用床材Ａの短手方向一側端部を雄実を切除した平面部２とするとともに、該補修用床材Ａの短手方向他側端部を雌実の下部を切除した短手固定片４とし、上記補修用床材Ａを床下地Ｇに仮止めしてなるリフォーム用床材の施工構造。【選択図】図１
2008050757.tif 000002
【特許請求の範囲】
【請求項１】
置き敷き施工における床材の施工構造であって、実結合で結合され、床面を形成する床材の一部を補修用床材とし、該補修用床材の長手方向一端部を雄実とするとともに、長手方向他端部を雌実の下部を切除した長手固定片とし、該補修用床材の短手方向一側端部を雄実を切除した平面部とするとともに、該補修用床材の短手方向他側端部を雌実の下部を切除した短手固定片とし、上記補修用床材を床下地に仮止めしてなるリフォーム用床材の施工構造。
【請求項２】
上記仮止めをビス固定により行う請求項１に記載のリフォーム用床材の施工構造。
【請求項３】
上記床面を構成する床材の１列に１枚の補修用床材を仮止めしてなる請求項１に記載のリフォーム用床材の施工構造。
【請求項４】
置き敷き施工における床材の施工方法であって、床面を構成する床材の一部を差し替えたいとき、請求項１に記載の補修用床材の仮止めを解除して仮除去し、残余の床材を列方向にずらせて被差し替え床材の長手方向両側を空白とした後、該被差し替え床材を取り去り、その後、差し替え用床材を被差し替え床材が元有った位置に嵌入し、空白部分に再び補修用床材を組み込むリフォーム用床材の施工方法。
【発明の詳細な説明】
【技術分野】
【０００１】
本発明は、床下地に接着等により固着することなく、床材を置敷く置敷き床材に関する。さらに詳しくは、置敷き床材におけるリフォーム用の床材およびその施工方法に関する。
【背景技術】
【０００２】
近年、床面を改装するとき、既存の床下地にリフォーム用の床材を敷設する、いわゆる置敷き施工が採用されることが多い。この置敷き施工は、接着剤等を用いることなく、単に、床材を床下地に並べて置くだけで施工できるため、部屋のリフォームや、アパート等、賃貸物件の改装等によく利用される。上記置敷き施工に用いられる置敷き床材は、通常、隣接する床材どうしを雄実と雌実とを用いて相互に実結合し、床面を形成する。
【０００３】
例えば、下記特許文献１には、隣接する床材どうしが長手方向と短手方向でそれぞれ雄実加工部と雌実加工部とを連結して床下地に敷設された後、被差し替え床材の貼り替え補修時において、被差し替え床材を除去した後、隣接する床材の雄実加工部の下側に差込部材を差し込み、該差込部材に被せるように切欠き床板部材をのせて隣接する床板の間に嵌め込み、連結固定することを特徴とする補修用床材および直貼り床板の補修方法が開示されている。
【特許文献１】特開２０００−３２０１０９号公報（第１〜３頁、第１〜５図）
【発明の開示】
【発明が解決しようとする課題】
【０００４】
しかしながら、上記特許文献１に記載の技術は、木質系基材の下面に緩衝材層を接着して形成され、床鳴り等を生じないようにされた複合床材に関するものであり、樹脂を成形してなる樹脂系床材や、木質系床材に直ちに適用できるものではない。本発明は、床面のリフォームや、アパートの床面改装等を、置き敷き施工により、簡単に、作業性よく施工することのできるリフォーム用床材およびその施工方法を提供することを、その課題とする。
【課題を解決するための手段】
【０００５】
上記課題を解決するために、本発明においては、つぎのような技術的手段を講じている。すなわち、請求項１に記載の発明によれば、置き敷き施工における床材の施工構造であって、実結合で結合され、床面を形成する床材の一部を補修用床材とし、該補修用床材の長手方向一端部を雄実とするとともに、長手方向他端部を雌実の下部を切除した長手固定片とし、該補修用床材の短手方向一側端部を雄実を切除した平面部とするとともに、該補修用床材の短手方向他側端部を雌実の下部を切除した短手固定片とし、上記補修用床材を仮止めしてなるリフォーム用床材の施工構造が提供される。上記床材としては、樹脂系床材や木質系床材等が用いられ、厚さ３〜９ｍｍ程度の単板が好適に用いられる。
【０００６】
請求項２に記載のリフォーム用床材の施工構造は、請求項１に記載の発明に加えて、上記仮止めをビス固定により行うことが好ましい。このとき、用いられるビスは、できるだけ、小さく、また、床材の表面化粧柄と同系統とし、目立たなくして四隅等で床下地に固定することが好ましい。
【０００７】
請求項３に記載のリフォーム用床材の施工構造は、請求項１に記載の発明に加えて、上記床面を構成する床材の１列に１枚の補修用床材を仮止めして用いることが好ましい。
【０００８】
請求項４に記載の発明によれば、置き敷き施工における床材の施工方法であって、床面を構成する床材の一部を差し替えたいとき、請求項１に記載の補修用床材の仮止めを解除して仮除去し、残余の床材を列方向にずらせて被差し替え床材の長手方向両側を空白とした後、該被差し替え床材を取り去り、その後、差し替え用床材を被差し替え床材が元有った位置に嵌入し、空白部分に再び補修用床材を組み込むリフォーム用床材の施工方法が提供される。
【発明の効果】
【０００９】
請求項１に記載の発明にかかるリフォーム用床材の施工構造は上記のとおりであり、置き敷きされた床面を形成する床材の一部を補修用床材とし、該補修用床材の長手方向一端部を雄実とするとともに、長手方向他端部を雌実の下部を切除した長手固定片とし、該補修用床材の短手方向一側端部を平面部とするとともに、該補修用床材の短手方向他側端部を雌実の下部を切除した短手固定片とし、上記補修用床材を下地材に仮止めしてなるため、この仮止めを解除することによって、簡単に補修用床材を仮除去することができる。
【００１０】
そして、上記補修用床材を仮除去して生じた空白部分に、例えば、傷んだ床材等、被差し替え床材を列方向に移動して、長手方向両側に空白部分を設けると、この空白部分が緩衝部分となるため、残余の他の床材を傷付けることなく、被差し替え床材を容易に壊すあるいは外すことができる。さらに、被差し替え床材が元有った位置に差し替え用床材を嵌入し、仮除去した補修用床材を再び組み込むことによって、簡単に床材の部分補修をすることができる。
【００１１】
請求項２に記載のリフォーム床材の施工構造は上記のとおりであり、請求項１のリフォーム床材の施工構造の有する効果に加え、上記仮止めをビスで行うため、ビスを外すことにより補修用床材の仮固定を簡単に解除して仮除去することができる。
【００１２】
請求項３に記載のリフォーム床材の施工構造は上記のとおりであり、請求項１のリフォーム床材の施工構造の有する効果に加え、上記床面を構成する床材の１列に１枚の補修用床材を仮止めしてなるため、各列ごとに、被差し替え床材等補修したい床材のみを部分的に差し替えることができる。また、列全体の床材を差し替えることもできる。
【００１３】
請求項４に記載のリフォーム床材の施工方法は上記のとおりであり、床面を構成する床材の一部が傷んで差し替えたいとき、請求項１に記載の補修用床材の仮止めを解除して仮除去し、残余の床材をずらせて被差し替え床材の長手方向両側を空白とした後、被差し替え床材を取り去り、その後、該差し替え用床材を被差し替え床材が元有った位置に嵌入し、空白部分に再び補修用床材を組み込むため、簡単に、作業性よく置き敷き施工された床面のうち、被差し替え床材等補修すべき床材のみを差し替えることができる。また、床面を構成する床材の１列全体を差し替えることもできる。
【発明を実施するための最良の形態】
【００１４】
以下、本発明の実施形態について図面を参照して詳細に説明する。図１は本発
明のリフォーム用床材の施工構造にかかる補修用床材Ａを示す斜視図である。図２は、図１におけるＸ−Ｘ線に沿う断面図である。図１、図２に示すように、上記補修用床材Ａは、その長手方向の一端部には雄実３が突設され、長手方向の他端部は雌実の下部を切除した長手固定片１とされている。また、補修用床材Ａの短手方向の一側端部は雄実を切除した平面部２とするとともに、短手方向の他側端部には雌実の下部を切除した短手固定片４が設けられている。
【００１５】
図３は、本発明にかかる補修用床材Ａを組み込み、置き敷き施工した床面Ｆを部分的に示す説明図である。図３において、上記補修用床材Ａはビス５により床下地Ｇに仮固定され、通常は、左右に隣接する床材Ｂあるいは床材Ｃおよび上下に隣接する他の複数の床材と共に床面Ｆを形成する。このとき、補修用床材Ａ以外の他の床材どうしは、雄実と雌実とにより実結合され、各床材の雌実には、図３に示す点線部分まで雄実が嵌入されている。
【００１６】
図４は、上記のようにして床面Ｆに組み込まれ、床下地Ｇにビス５で仮固定された補修用床材Ａを示す部分側面図である。図４に示すように、補修用床材Ａの長手方向の端部に突設された雄実３は、隣り合う床材Ｂの長手方向の端部に凹設された雌実と実結合し、補修用床材Ａの長手方向の他の端部に設けられた長手固定片１は、隣り合う床材Ｃの長手方向の端部に突設された雄実３の上に単に置かれた状態でビス５により仮固定されている。また、補修用床材Ａの短手方向の、通常、雄実が突設される側端部は平面部２とされているため、ビス５を外して補修用床材Ａを引きながら、矢印の方向に持ち上げれば隣接する床材Ｂとの実結合を簡単に外すことができる。なお、補修用床材Ａをビス５を使用することなく雄実３の箇所でのみ仮固定してもよい。
【００１７】
つぎに、上記補修用床材Ａを用いて置き敷き施工した床面Ｆを補修するリフォーム床材の施工方法について説明する。例えば、図３における床材Ｂが傷んだ場合、図５に示すように、まず、補修用床材Ａの仮止めを解除して上記した方法で仮除去し、空白部分Ｗを設ける。ついで、図６に示すように、床材Ｂをずらせて上記空白部分Ｗに移動する。このようにすることによって、床材Ｂの長手方向両側には空白部分Ｗが生じ、残余の他の床材を傷付けることなく、被差し替え床材Ｂを簡単に壊すあるいは外すことができる。
【００１８】
上記のようにして、被差し替え床材Ｂを取り除き、拡がった空白部分Ｗに差し替え用床材Ｎを嵌入する。差し替え作業は、例えば、差し替え用床材Ｎを適当に撓め、短手方向の側面と残余の他の列の床材の短手方向の側面とを実結合し、その後、取り除かれた床材Ｂの元の位置までずらせて、差し替えを完了する。図７は、このようにして差し替えられた床材Ｎを示す説明図である。上記は取り除かれた床材Ｂが元有った位置に差し替え用床材Ｎを嵌入した例を示したが、補修用床材Ａに隣接する床材Ｃ及び該床材Ｃに長手方向に連なる複数個の床材全体を取り除かれた床材Ｂの元の位置までずらせるとともに、新しく形成された空白部分Ｗに差し替え用床材Ｎを嵌入してもよい。
【００１９】
このように、空白部分Ｗを残して被差し替え床材Ｂが差し替えられた後、この空白部分Ｗに補修用床材Ａを再び組み込む。このとき、補修用床材Ａの雄実３を差し替え用床材Ｎの雌実に嵌入した後、長手固定片１側を上方から下方に回動することにより、簡単に組み込むことができる。さらに、補修用床材Ａをビス５で仮固定すると図３に示す床面Ｆと同様な状態となり、置き敷き施工した床面Ｆを部分補修することができる。
【００２０】
上記は補修用床材Ａに隣接する床材Ｂが傷んだ場合について説明したが、同じ列で、補修用床材Ａから離れた場所の床材が傷ついた場合でも、補修用床材Ａを仮除去し、順にずらせば傷ついた床材の長手方向両側に空白部分Ｗを設けることが可能であり、上記と同様にして部分補修することができる。また、被差し替え床材のみを部分的に差し替えるだけでなく、列全体の床材を差し替えることも可能である。又、差し替え用床材Ｎを補修用床材Ａと同一の寸法形状にすれば傷んだ床材の差し替え作業が極めて容易となる。このように、本発明は種々設計変更可能であり、特許請求の範囲を逸脱しない限り、いずれの場合も本発明の技術的範囲に属する。
【図面の簡単な説明】
【００２１】
【図１】本発明のリフォーム用床材の施工構造にかかる補修用床材を示す斜視図である。
【図２】図１におけるＸ−Ｘ線に沿う断面図である。
【図３】本発明にかかる補修用床材を組み込み、置き敷き施工した床面を部分的に示す説明図である。
【図４】床下地にビスで仮固定された本発明の補修用床材を示す部分側面図である。
【図５】本発明にかかるリフォーム用床材の施工方法において、補修用床材を仮除去した状態を示す説明図である。
【図６】本発明にかかるリフォーム用床材の施工方法において、補修すべき床材を空白部分まで移動した状態を示す説明図である。
【図７】本発明にかかるリフォーム用床材の施工方法において、差し替えられた床材を示す説明図である。
【符号の説明】
【００２２】
Ａ          本発明にかかる補修用床材
Ｂ          床材
Ｃ          床材
Ｎ          差し替え用床材
Ｆ          置敷き施工した床面
Ｇ          床下地
Ｗ          空白部分
１          長手固定片
２          平面部
３          雄実
４          短手固定片
５          ビス
【図１】
2008050757.tif 000003
【図２】
2008050757.tif 000004
【図３】
2008050757.tif 000005
【図４】
2008050757.tif 000006
【図５】
2008050757.tif 000007
【図６】
2008050757.tif 000008
【図７】
2008050757.tif 000009